(57)【要約】      （修正有）【課題】携帯端末の着脱が容易であり、携帯端末のサイズに依存せずに保持可能であり、また、携帯端末を保持した携帯端末保持具が、転倒した際に、携帯端末を保護することが可能な携帯端末保持具を提供する。【解決手段】携帯端末を保持する携帯端末保持具は、携帯端末の角を外側から包む可塑性を有する素材で形成された湾曲状の受容部と、受容部の端部側に設けられる携帯端末の角を挿入するための中空状の保持部とから構成されるホルダーを備える。【選択図】図１
2013223151.tif 000002
【特許請求の範囲】
【請求項１】
携帯端末を保持する携帯端末保持具において、
前記携帯端末の角を外側から包む可塑性を有する素材で形成された湾曲状の受容部と、
前記受容部の端部側に設けられる、前記携帯端末の角を挿入するための中空状の保持部とから構成されるホルダーを備える携帯端末保持具。
【請求項２】
前記湾曲状の受容部は、
前記携帯端末の４つの角を外側から包み込む略十字型の形状を有し、
該略十字型の受容部の端部側に設けられる、４つの保持部とを備えることを特徴とする請求項１記載の携帯端末保持具。
【請求項３】
前記ホルダーは、前記受容部の内部に、屈曲性を有し前記受容部の形状を固定する棒状の骨格部を備えることを特徴とする請求項１または２記載の携帯端末保持具。
【請求項４】
前記ホルダーは、背面の中央に穴を有し、
前記穴の内部に略球状の接合具を備え、
前記接合具は、
２分割することにより、略半球状の第１の接合部と、略半球状の第２の接合部とに分離するものであって、
前記第１の接合部の平面部に設けられ、前記第２の接合部の平面部の穴に挿入することにより、前記第１の接合部と前記第２の接合部とを接合するための回転軸とを備えることを特徴とする請求項１から３いずれか１項記載の携帯端末保持具。
【請求項５】
前記携帯端末保持具は、
前記接合具と接合することにより、ホルダーを支える略半円状の断面を有する支柱部と、
略半円状の空洞を備え、該空洞に前記支柱部を挿入し、前記空洞の内側には可塑性の高い素材を有する略円柱状からなる軸受け部とを備えることを特徴とする請求項４記載の携帯端末保持具。
【請求項６】
前記携帯端末保持具は、更に、前記携帯端末のコードを保持するための、略半円柱の形状から成るコード留部を備えることを特徴とする請求項１から５いずれか１項記載の携帯端末保持具。
【発明の詳細な説明】
【技術分野】
【０００１】
本発明は、携帯端末を保持するための携帯端末保持具に関するものである。
【背景技術】
【０００２】
昨今、マウスやキーボードの代わりに指の画面接触により操作するハンディタイプのコンピュータである、タブレット型コンピュータ等の携帯端末が発売され、デスクトップＰＣやノートＰＣ同様、多く流通している。
しかし、このタブレット型コンピュータ等の携帯端末は、従来のデスクトップＰＣやノートＰＣと異なり、手に持った状態で操作する必要がある。タブレット型コンピュータは平面的な構造であるため、机上に置いた状態だと角度がつかず、ディスプレイが見づらいからである。
【０００３】
そのため、ユーザはタブレット型の携帯端末を利用する際には、常に手で保持しなければならず、利便性に劣っていた。
【０００４】
近年、携帯端末保持具に関する技術が、特許文献１に提案されている。特許文献１には、板状の被保持体（携帯端末）両端を押圧挟持するための一対のコの字型保持基体と、基板上に立設される支柱に対し回転および固定可能なる柱体を有するセンター部材と、台板上に立設される管体よる支柱を有する保持主体とを備え、被保持体を押圧挟持している保持基体とセンター部材とを固定し、被保持体に固定された該中台を保持主体の支柱に挿入固定することにより、平面上に載置された保持主体に対して被保持体を任意の位置に保持する携帯端末保持具について開示されている。
【０００５】
また、特許文献１記載の携帯端末保持具は、被保持体を机上等に任意の位置に保持することができて、被保持体を手で保持することなく操作可能にする。また、被保持体に対し着脱可能な装置のため、必要に応じて被保持体を取り外して使用することができ、被保持体に対するアジャスト機能を有するので、被保持体のサイズ変更にも対応可能である。更に、被保持体の非画面表示部分を押圧挟持する方式のため、手に保持する場合と同様に画面視認することができる。
【先行技術文献】
【特許文献】
【０００６】
【特許文献１】特開２０１２−３７３６号公報
【発明の概要】
【発明が解決しようとする課題】
【０００７】
しかしながら、例えば、特許文献１記載のような携帯端末保持具では、携帯端末を着脱する際や、携帯端末のサイズに合わせて調整する際は、その都度ネジやナットによって調整せねばならず、手間がかかった。また、携帯端末に保護用のカバーを装着させている場合、カバーを外してからでなければ、携帯端末保持具に設置できない。また、携帯端末保持具によって携帯端末はある程度の高さに保持されるため、転倒時に携帯端末の破損のおそれも大いにあった。
【０００８】
そこで、本発明は、上記事情に鑑み、携帯端末の着脱が容易であり、また携帯端末のサイズに依存せず保持可能であり、さらに、転倒時に携帯端末を保護することを可能とする携帯端末保持具を提供することを目的とするものである。
【課題を解決するための手段】
【０００９】
本発明は、携帯端末保持具において、携帯端末の角を外側から包む可塑性を有する素材で形成された湾曲状の受容部と、受容部の端部側に設けられる、携帯端末の角を挿入するための中空状の保持部とから構成されるホルダーを備えるものである。
【００１０】
「受容部」は、携帯端末の角を外側から包み込むような形状をし、携帯端末側へ湾曲を有するものをいう。例えば、略球体や略楕円体を半分に切断し、内側をくり抜いた形状で、内側に携帯端末をはめ込んで保持するような形状としてもよい。また、「受容部」は「可塑性を有する素材」で構成されており、素材の可塑性を十分に活かせる程度の厚みを有する。
【００１１】
ここで、「可塑性を有する素材」とは、緩衝作用を有し、圧力を加えることで湾曲した状態で固定可能な素材をいい、再度圧力を加えること何度でも変形可能な素材をいってもよい。具体的には、シリコン、ゴム、エラストマー等が挙げられる。
【００１２】
「携帯端末」は、タブレット型コンピュータや、携帯電話等をいう。
【００１３】
「湾曲状」とは、丸みをもった曲面のことをいい、具体的には、球体や楕円体等の曲面部のような形状である。また、「中空状」とは、穴があいている状態をいい、携帯端末の角を挿入するためのものをいう。
【００１４】
また、受容部は、携帯端末の４つの角を外側から包み込む略十字型の形状を有し、該略十字型の受容部の端部側に設けられる、４つの保持部とを備える構成としてもよい。
【００１５】
「略十字型の形状」は、携帯端末の角を外側から包み込むような形状をした受容部から、携帯端末の辺付近の部分をくり抜き、携帯端末の角周辺のみを包み込む形状をしたものをいう。具体的には、携帯端末側への湾曲をもつ４つの羽状の形状を、携帯端末の対角線上に十字型に組み合わせた形状等が挙げられる。この羽状の形状は、略長方形や略扇型であってもよい。また、該羽状の形状の端部は、湾曲であってもよいし、直線であってもよい。
【００１６】
また、ホルダーは、受容部の内部に、屈曲性を有し受容部の形状を固定する棒状の骨格部を備えてもよい。
【００１７】
「骨格部」は、受容部の形状を固定するもので、屈曲性を有し、必要に応じて形状を変えられるものをいう。具体的には、針金やワイヤー等が挙げられる。
【００１８】
本発明において、ホルダーは、背面の中央に穴を有し、該穴の内部に略球状の接合具を備え、該接合具は、２分割することにより、略半球状の第１の接合部と、略半球状の第２の接合部とに分離するものであって、第１の接合部の平面部に設けられ、第２の接合部の平面部の穴に挿入することにより、第１の接合部と第２の接合部とを接合するための回転軸とを備える構成としてもよい。
【００１９】
また、本発明の携帯端末保持具は、接合具と接合することにより、ホルダーを支える略半円状の断面を有する支柱部と、略半円状の空洞を備え、該空洞に支柱部を挿入し、空洞の内側には可塑性の高い素材を有する略円柱状からなる軸受け部とを備える構成を有してもよい。
【００２０】
「接合具」は、略球状を２分割した第１の接合部と第２の接合部とからなるものであって、ホルダーと支柱部を接合し、ホルダーを自由に回転させるものをいう。
【００２１】
「回転軸」は、回転することで、第２の接合部の平面部の穴に挿入される長さを調整し、第１の接合部の平面部と第２の接合部の平面部との距離を調節するものをいう。具体的には、ネジ機構等のことをいってもよい。
【００２２】
「支柱部」は、略半円状の断面を有する略円柱状の形態をしたものをいい、「軸受け部」の空洞に挿入されるものをいう。「軸受け部」は、略円柱状のものをいい、支柱部を挿入するための略半円状の空洞を備えるものをいう。
【００２３】
「軸受け部」の空洞に挿入される支柱部の長さを調節することで、携帯端末保持具の設置個所からホルダーまでの距離が調整可能としてもよい。また、具体的には、長さの調整は、支柱部を回転させ、支柱部の略半円状の形状と、軸受け部の空洞の形状を一致させ、伸縮可能な状態にした上で行う。また、長さを固定する際には、支柱部の形状と軸受け部の空洞の形状を一致させない状態にすることで行う。これにより、軸受け部の空洞の内側に備えられた可塑性の高い素材の摩擦により支柱部が固定される。
【００２４】
また、本発明の携帯端末保持具は、更に、携帯端末のコードを保持するための、略半円柱の形状から成るコード留部を備えてもよい。
【００２５】
「着脱可能」は、本発明の携帯端末保持具への装着及び除去が容易にできることをいう。具体的には、コード留部の内部に設けられた磁石の磁力によって、取り外し可能としてもよい。
【発明の効果】
【００２６】
本発明に係る携帯端末保持具は、携帯端末の角を外側から包む可塑性を有する素材で形成された湾曲状の受容部と、受容部の端部側に設けられる、携帯端末の角を挿入するための中空状の保持部とから構成されるホルダーとを備えることにより、携帯端末を保持可能とする。また、携帯端末保持具は、携帯端末の角を外側から包む可塑性を有する素材で形成された湾曲状の受容部を備えることにより、携帯端末保持具が転倒した場合でも該携帯端末を転倒の衝撃から保護することができる。
【００２７】
また、本発明に係る携帯端末保持具は、受容部が、携帯端末の４つの角を外側から包み込む略十字型の形状を有し、該略十字型の受容部の端部側に設けられる、４つの保持部とを備える際においては、携帯端末を保持した状態で該携帯端末にコードやイヤホンを容易に着脱可能である。
【００２８】
また、本発明に係る携帯端末保持具は、ホルダーが、受容部の内部に、屈曲性を有し受容部の形状を固定する棒状の骨格部を備える際においては、携帯端末の大きさに合わせてホルダーのサイズを容易に調整可能であり、さらにカバーを装着した状態でも保持が可能である。
【００２９】
また、本発明に係る携帯端末保持具において、ホルダーは背面の中央に穴を有し、該穴の内部に略球状の接合具を備える際において、ホルダーを自由に回転させ、携帯端末の角度を調整させることが可能である。
【００３０】
また、本発明に係る携帯端末保持具は、接合具が、２分割することにより、略半球状の第１の接合部と、略半球状の第２の接合部とに分離するものであって、第１の接合部の平面部に設けられ、第２の接合部の平面部の穴に挿入することにより、第１の接合部と第２の接合部とを接合するための回転軸とを備える際おいては、ホルダーの可塑性が劣化した場合においても、接合具の大きさを変化させることで、再度固定させることが可能である。
【００３１】
本発明に係る携帯端末保持具は、また、接合具と接合することにより、ホルダーを支える略半円状の断面を有する支柱部と、略半円状の空洞を備え、該空洞に支柱部を挿入し、空洞の内側には可塑性の高い素材を有する略円柱状からなる軸受け部とを備える際には、支柱部と軸受け部を伸縮させ、ホルダーの高さを容易に調整可能である。
【図面の簡単な説明】
【００３２】
【図１】本発明の第１の実施形態に係る携帯端末保持具の正面を示す図
【図２】本発明の第１の実施形態に係るホルダーの背面を示す図
【図３】本発明の第１の実施形態に係る携帯端末保持具の背面を示す図
【図４】本発明の第１の実施形態に係る携帯端末保持具の左側面図
【図５】本発明の第１の実施形態に係る携帯端末保持具の右側面図
【図６】本発明の第１の実施形態に係る携帯端末保持具の上面図
【図７】本発明の実施形態における接合具の模式図
【図８】本発明の実施形態における支柱部の断面図
【図９】本発明の実施形態における軸受け部の断面図
【図１０】本発明の実施形態におけるコード留部の模式図
【図１１】本発明の第１の実施形態における利用シーン１
【図１２】本発明の第１の実施形態における利用シーン２
【図１３】本発明の第１の実施形態における利用シーン３
【図１４】本発明の第１の実施形態における利用シーン４
【図１５】本発明の第２の実施形態に係る携帯端末保持具の正面を示す図
【図１６】本発明の第３の実施形態に係る携帯端末保持具の正面を示す図
【図１７】本発明の第４の実施形態に係る携帯端末保持具の正面を示す図
【図１８】本発明の第４の実施形態に係る携帯端末保持具の保持状態の模式図
【発明を実施するための形態】
【００３３】
［第１の実施形態］
以下、本発明の実施の形態を図１乃至図１３を用いて説明する。図１乃至図６を用いて、第１の実施形態に係る携帯端末保持具の構造を説明する。
【００３４】
図１に第１の実施形態に係る携帯端末保持具の正面を示す図を、図２に第１の実施形態に係るホルダーの背面を示す図を、図３に本発明の第１の実施形態に係る携帯端末保持具の背面を示す図を、図４に本発明の第１の実施形態に係る携帯端末保持具の左側面図を、図５に本発明の第１の実施形態に係る携帯端末保持具の右側面図を、図６に本発明の第１の実施形態に係る携帯端末保持具の上面図を示す。
【００３５】
携帯端末保持具１００は、携帯端末の角を外側から包む可塑性を有する素材で形成された湾曲状の受容部１１１と、受容部１１１の端部側に設けられる、携帯端末の角を挿入するための中空状の保持部１１２ａ、保持部１１２ｂ、保持部１１２ｃ、保持部１１２ｄとから構成されるホルダー１１０を備える。
【００３６】
また、ホルダー１１０は、受容部１１１の内部に、屈曲性を有し受容部１１１の形状を固定する棒状の骨格部１１３を備える。
【００３７】
第１の実施形態において、携帯端末保持具１００は、受容部１１１と、保持部１１２ａと、保持部１１２ｂと、保持部１１２ｃと、保持部１１２ｄと、骨格部１１３と、接合具１３０とを備えるホルダー１１０と、支柱部１２０と、軸受け部１２５とから構成される。
【００３８】
受容部１１１は、携帯端末の角を外側から包み込むような形状をし、携帯端末側へ湾曲を有するものをいう。
【００３９】
第１の実施形態においては、受容部１１１は、携帯端末の４つの角を外側から包み込む略十字型の形状を有し、該略十字型の受容部１１１の端部側に設けられる、４つの保持部１１２ａ、保持部１１２ｂ、保持部１１２ｃ、保持部１１２ｄとを備える構成をしている。
【００４０】
略十字型の形状は、携帯端末の角を外側から包み込むような形状から、携帯端末の辺付近の部分をくり抜き、携帯端末の角周辺のみを包み込むような形状のことをいう。具体的には、携帯端末側への湾曲をもつ４つの羽状の形状を、携帯端末の対角線上に十字型に組み合わせた形状をしている。この、羽状の形状は、第１の実施形態においては、略長方形であるが、略扇型等であってもよい。
【００４１】
また、該羽状の形状の端部は、第１の実施形態においては、湾曲であるが、直線であっても構わない。
【００４２】
また、受容部１１１は可塑性を有する素材で構成されており、素材の可塑性を十分に活かせる程度の厚みを有する。第１の実施形態においては、１センチ程度の厚みで構成される。
【００４３】
可塑性を有する素材は、緩衝作用を有し、圧力を加えることで湾曲した状態で固定可能な素材をいい、再度圧力を加えること何度でも変形可能な素材をいってもよい。具体的には、シリコン、ゴム、エラストマー等が挙げられる。第１の実施形態では、シリコンを例に説明する。
【００４４】
携帯端末は、タブレット型コンピュータや、携帯電話等をいうが、第１の実施形態においては、横の長さが１８センチから２０センチ程度、縦の長さが２０センチから２５センチ程度のタブレット型コンピュータのことを指している。
【００４５】
また、湾曲状とは、丸みをもった曲面のことをいい、具体的には、球体や楕円体等の曲面部のような形状をいう。また、中空状は、穴があいている状態をいい、本発明においては、携帯端末の角を挿入するためのものをいう。
【００４６】
第１の実施形態においては、保持部１１２ａ、保持部１１２ｂ、保持部１１２ｃ及び保持部１１２ｄはタブレット型コンピュータの角を挿入できる程度の面積を有しており、略十字型をした受容部１１１の４つの端部から５センチ程度内側に各１箇所ずつ設けられている。
【００４７】
第１の実施形態において携帯端末を携帯端末保持具１００に装着する際には、携帯端末の各角を前述した保持部１１２ａ、保持部１１２ｂ、保持部１１２ｃ、保持部１１２ｄに挿入し、受容部１１１に内側に力を加え、携帯端末を包み込むように固定する。
【００４８】
骨格部１１３は、受容部１１１の形状を固定するもので、屈曲性を有し、必要に応じて形状を変えられるものをいう。第１の実施形態ではワイヤーで構成されるが、針金等を用いてもよい。骨格部１１３が、該屈曲性を有することにより、受容部１１１に対して内側に力を加えた際に、骨格部１１３が内側に屈曲することで、受容部１１１が携帯端末を包み込む形状で固定される。
【００４９】
また、ホルダー１１０は、背面の中央に穴を有し、該穴の内部に接合具１３０を備えている。
【００５０】
図７に接合具１３０の模式図を示す。接合具１３０は、略半球状の第１の接合部１３２と、略半球状の第２の接合部１３３との２つに分離され、第１の接合部１３２の平面部に設けられ、第２の接合部１３３の平面部の穴に挿入することにより、第１の接合部１３２と第２の接合部１３３とを接合するための回転軸１３１とから構成される。
【００５１】
接合具１３０は、ホルダー１１０と支柱部１２０を接合し、ホルダー１１０を自由に回転させるものをいう。第１の実施形態において、接合具１３０は木製の球体であるが、略球状の形態を保てれば、他の素材を用いてもよい。回転軸１３１は、回転によって第２の接合部１３３の平面部の穴に挿入される長さを調整し、第１の接合部１３２の平面部と第２の接合部１３３の平面部との間隔を調節するものをいう。第１の実施形態では、回転軸１３１として、ネジ機構を備えている。
【００５２】
回転軸１３１は、２分割された接合具１３０のうち、第１の接合部１３２の外周（湾曲を有する面）から挿入され、断面（平面部）を経由して第２の接合部１３３の平面部の穴に挿入される。
【００５３】
回転軸１３１によって、第１の接合部１３２と第２の接合部１３３との距離を調節することで、接合具１３０の体積を変更させることが可能になる。そのため、ホルダー１１０の可塑性が劣化した場合においても、接合具１３０を大きくすることで再度固定させることが可能である。
【００５４】
第１の実施形態において、接合具１３０は第１の接合部１３２と第２の接合部１３３に分離しているが、分離しない略球状の形態としてもよい。
【００５５】
支柱部１２０は、略半円状の断面を有した、接合具１３０と接合しホルダー１１０を支えるものである。図８に、第１の実施形態における、支柱部１２０の断面図を示す。第１の実施形態において、支柱部１２０はステンレスで構成されている。
【００５６】
軸受け部１２５は、略半円状の空洞１２６を備え、空洞１２６の内側には可塑性の高い素材１２７を有する略円柱状のものである。空洞１２６には、支柱部１２０が挿入される。図９に第１の実施形態における、軸受け部１２５の断面図を示す。第１の実施形態において、軸受け部１２５はステンレスで構成され、空洞１２６の内側には可塑性の高い素材１２７としてシリコンが張り付けられている。
【００５７】
本発明においては、軸受け部１２５の空洞１２６に挿入される支柱部１２０の長さを調節することで、携帯端末保持具１００の設置個所から、ホルダー１１０までの距離が調整可能となる。長さの調整は、具体的には、支柱部１２０を回転させ、該支柱部１２０の略半円状の形状と、軸受け部１２５の空洞１２６の形状を一致させることで、可塑性の高い素材１２７の摩擦力を低減し伸縮可能な状態にした上で行う。また、長さを固定する際には、支柱部１２０の形状と軸受け部１２５の空洞１２６の形状を一致させない状態にすることで行う。これは、軸受け部１２５の空洞１２６の内側に備えられた可塑性の高い素材１２７の摩擦により支柱部１２０が固定されるためである。
【００５８】
また、第１の実施形態において携帯端末保持具１００は、携帯端末のコードを保持するための、略半円柱の形状であるコード留部１４０を備える。具体的には、携帯端末保持具１００は、略半円柱の形状であって、着脱可能である、携帯端末のコードを保持するコード留部１４０を備える。図１０にコード留部１４０の模式図を示す。第１の実施形態において、コード留部１４０は二股の略半円柱の形態をしている。該二股部分に、対となる極の磁石１４１ａ及び磁石１４１ｂを備え、二股の頂点部において、コードを挟んで固定するものである。
【００５９】
この略半円柱状コード留部１４０の底面部は、湾曲を有し、支柱部１２０あるいは軸受け部１２５に磁石１４１ａ及び磁石１４１ｂによる磁力によって装着させることが可能である。
【００６０】
図１１に第１の実施形態における、携帯端末保持具１００の利用シーン１の模式図を示す。
【００６１】
利用シーン１において、携帯端末１００は軸受け部１２５の先に脚部５５０を有する。利用シーン１は、該脚部５５０を寝具５００のマットレスとフレームの間に挟んで、携帯端末１００を固定する状況をいう。これによって就寝時に寝そべった状態であっても、携帯端末を操作可能となる。
【００６２】
図１２に第１の実施形態における、携帯端末保持具１００の利用シーン２の模式図を示す。
【００６３】
利用シーン２は、携帯端末保持具１００を天井に固定する状況をいう。これによって、例えばユーザ６００が机７００で作業する際に、携帯端末を手で保持する必要がなくなる。
【００６４】
図１３に第１の実施形態における、携帯端末保持具１００の利用シーン３の模式図を示す。
【００６５】
利用シーン３において、携帯端末１００は軸受け部１２５の先にクリップ部９００を有する。利用シーン３は、該クリップ部９００で机８００の端を挟むことで携帯端末１００を固定する状況をいう。これによって、机８００上で作業をする際に、手で携帯端末を保持しなくても、容易に携帯端末のディスプレイを確認可能になる。
【００６６】
図１４に第１の実施形態における、携帯端末保持具１００の利用シーン４の模式図を示す。
【００６７】
利用シーン４において、携帯端末１００は軸受け部１２５の先に脚部９５０を有する。利用シーン４は、該脚部５５０により自立させて使用する状況をいう。これによって、ユーザ６５０は机８５０上で作業をする際に、手で携帯端末を保持しなくても、容易に携帯端末のディスプレイを確認可能になる。
【００６８】
本発明に係る携帯端末保持具１００は、携帯端末の角を外側から包む可塑性を有する素材で形成された湾曲状の受容部１１１と、受容部１１１の端部側に設けられる、携帯端末の角を挿入するための中空状の保持部１１２ａと保持部１１２ｂと保持部１１２ｃと保持部１１２ｄとから構成されるホルダー１１０とを備えることにより、携帯端末を保持可能とする。また、携帯端末保持具１００は、携帯端末の角を外側から包む可塑性を有する素材で形成された湾曲状の受容部１１１を備えることにより、携帯端末保持具１００が転倒した場合でも該携帯端末を転倒の衝撃から保護することができる。
【００６９】
また、本発明に係る携帯端末保持具１００は、受容部１１１が、携帯端末の４つの角を外側から包み込む略十字型の形状を有し、該略十字型の受容部１１１の端部側に設けられる、４つの保持部１１２ａと保持部１１２ｂと保持部１１２ｃと保持部１１２ｄとを備える際においては、携帯端末を保持した状態で該携帯端末にコードやイヤホンを容易に着脱可能である。
【００７０】
また、本発明に係る携帯端末保持具１００は、ホルダー１１０が、受容部１１１の内部に、屈曲性を有し受容部１１１の形状を固定する棒状の骨格部１１３を備える際においては、携帯端末の大きさに合わせてホルダー１１０のサイズを容易に調整可能であり、さらにカバーを装着した状態でも保持が可能である。
【００７１】
また、本発明に係る携帯端末保持具１００において、ホルダー１１０は背面の中央に穴を有し、該穴の内部に略球状の接合具１３０を備える際において、ホルダー１１０を自由に回転させ、携帯端末の角度を調整させることが可能である。
【００７２】
また、本発明に係る携帯端末保持具１００は、接合具１３０が、２分割することにより、略半球状の第１の接合部１３２と、略半球状の第２の接合部１３３とに分離するものであって、第１の接合部１３２の平面部に設けられ、第２の接合部１３３の平面部の穴に挿入することにより、第１の接合部１３２と第２の接合部１３３とを接合するための回転軸１３１とを備える際おいては、ホルダー１１０の可塑性が劣化した場合においても、接合具１３０の大きさを変化させることで、再度固定させることが可能である。
【００７３】
本発明に係る携帯端末保持具１００は、また、接合具１３０と接合することにより、ホルダー１１０を支える略半円状の断面を有する支柱部１２０と、略半円状の空洞１２６を備え、該空洞１２６に支柱部１２０を挿入し、該空洞１２６の内側には可塑性の高い素材１２７を有する略円柱状からなる軸受け部１２５とを備える際には、支柱部１２０と軸受け部１２５を伸縮させ、ホルダー１１０の高さを容易に調整可能である。
【００７４】
［第２の実施形態］
図１５に示す、本発明の第２の実施形態に係る携帯端末保持具２００の正面を示す図を用いて、第２の実施形態におけるホルダー１１０の形状について説明する。
【００７５】
第２の実施形態では、ホルダー１１０は、携帯端末の４つの角のうち、３つを包み込むような、湾曲を有した羽状の形状を３つ組み合わせた形状の受容部２１１を有す。
【００７６】
第２の実施形態において、携帯端末保持具２００は、受容部２１１と保持部２１２ａと保持部２１２ｂと保持部２１２ｃと骨格部１１３（図１５においては図示を省略）と接合具１３０（図１５においては図示を省略）を備えるホルダー１１０と、支柱部１２０と、軸受け部１２５とから構成される。
【００７７】
なお、第２の実施形態における携帯端末保持具２００のその他の部分（接合具１３０、支柱部１２０、軸受け部１２５、コード留部１４０）については、第１の実施形態と同様であるため、説明を省略する。
【００７８】
第１の実施形態における受容部１１１は、第２の実施形態の受容部２１１のように、携帯端末の４つの角のうち、３つを包み込むような、湾曲を有した羽状の形状から構成してもよい。
【００７９】
羽状の形状は、第１の実施形態と同様に、略長方形であってもよいし、略扇型であってもよい。また、羽状の形状の端部は、湾曲であっても、直線であっても構わない。
【００８０】
更に、第２の実施形態における保持部２１２ａ、保持部２１２ｂ、保持部２１２ｃは、３つの羽状の形状の端部にそれぞれ設けられている。
【００８１】
第２の実施形態において携帯端末を携帯端末保持具２００に装着する際には、携帯端末の角のうち３つの角を前述した保持部２１２ａ、保持部２１２ｂ、保持部２１２ｃに挿入し、受容部２１１に内側に力を加え、携帯端末を包み込むように固定する。
【００８２】
骨格部１１３は、受容部２１１の形状を固定するもので、屈曲性を有し、必要に応じて形状を変えられるものをいう。第２の実施形態ではワイヤーで構成されるが、針金等を用いてもよい。骨格部１１３が、該屈曲性を有することにより、受容部２１１に対して内側に力を加えた際に、骨格部１１３が内側に屈曲することで、受容部２１１が携帯端末を包み込む形状で固定される。
【００８３】
本発明に係る携帯端末保持具２００は、携帯端末の角を外側から包む可塑性を有する素材で形成された湾曲状の受容部２１１と、受容部２１１の端部側に設けられる、携帯端末の角を挿入するための中空状の保持部２１２ａと保持部２１２ｂと保持部２１２ｃとから構成されるホルダー１１０とを備えることにより、携帯端末を保持可能とする。また、携帯端末保持具２００は、携帯端末の角を外側から包む可塑性を有する素材で形成された湾曲状の受容部２１１を備えることにより、携帯端末保持具２００が転倒した場合でも該携帯端末を転倒の衝撃から保護することができる。
【００８４】
また本発明に係る携帯端末保持具２００は、ホルダー１１０が、受容部２１１の内部に、屈曲性を有し受容部２１１の形状を固定する棒状の骨格部１１３を備える際においては、携帯端末の大きさに合わせてホルダー１１０のサイズを容易に調整可能であり、さらにカバーを装着した状態でも保持が可能である。
【００８５】
本発明に係る携帯端末保持具２００において、ホルダー１１０は背面の中央に穴を有し、該穴の内部に略球状の接合具１３０を備える際において、ホルダー１１０を自由に回転させ、携帯端末の角度を調整させることが可能である。
【００８６】
また、本発明に係る携帯端末保持具２００は、接合具１３０が、２分割することにより、略半球状の第１の接合部１３２と、略半球状の第２の接合部１３３とに分離するものであって、第１の接合部１３２の平面部に設けられ、第２の接合部１３３の平面部の穴に挿入することにより、第１の接合部１３２と第２の接合部１３３とを接合するための回転軸１３１とを備える際おいては、ホルダー１１０の可塑性が劣化した場合においても、接合具１３０の大きさを変化させることで、再度固定させることが可能である。
【００８７】
本発明に係る携帯端末保持具２００は、また、接合具１３０と接合することにより、ホルダー１１０を支える略半円状の断面を有する支柱部１２０と、略半円状の空洞１２６を備え、該空洞１２６に支柱部１２０を挿入し、空洞１２６内側には可塑性の高い素材１２７を有する略円柱状からなる軸受け部１２５とを備える際には、支柱部１２０と軸受け部１２５を伸縮させ、ホルダー１１０の高さを容易に調整可能である。
【００８８】
［第３の実施形態］
図１６に示す、本発明の第３の実施形態に係る携帯端末保持具３００の正面を示す図を用いて第３の実施形態のホルダー１１０の形状について説明する。
【００８９】
第３の実施形態において、ホルダー１１０は、携帯端末を左右から包み込む２つの略扇形の形状の受容部３１１を有す。
【００９０】
第３の実施形態において、携帯端末保持具３００は、受容部３１１と保持部３１２ａと保持部３１２ｂと骨格部１１３（図１６においては図示を省略）と接合具１３０（図１６においては図示を省略）を備えるホルダー１１０と、支柱部１２０と、軸受け部１２５とから構成される。
【００９１】
なお、第３の実施形態における携帯端末保持具３００のその他の部分（接合具１３０、支柱部１２０、軸受け部１２５、コード留部１４０）については、第１の実施形態と同様であるため、説明を省略する。
【００９２】
第１の実施形態における受容部１１１は、第３の実施形態の受容部３１１のように、携帯端末を左右から包み込む２つの略扇形の形状としてもよい。
【００９３】
略扇形の形状は、携帯端末の左辺及び右辺を包むように携帯端末側への湾曲を有したものをいう。該略扇形の端部は、第３の実施形態においては湾曲だが、直線としてもよい。
【００９４】
第３の実施形態において、受容部３１１は、右側の略扇形の端部に保持部３１２ａを備え、左側の略扇形の端部に保持部３１２ｂとを備える。
【００９５】
第３の実施形態において携帯端末を携帯端末保持具３００に装着する際には、携帯端末の角のうち２つの角を前述した保持部３１２ａ、保持部３１２ｂに挿入し、受容部３１１に内側に力を加え、携帯端末を包み込むように固定する。
【００９６】
骨格部１１３は、受容部３１１の形状を固定するもので、屈曲性を有し、必要に応じて形状を変えられるものをいう。第３の実施形態ではワイヤーで構成されるが、針金等を用いてもよい。骨格部１１３が、該屈曲性を有することにより、受容部３１１に対して内側に力を加えた際に、骨格部１１３が内側に屈曲することで、受容部３１１が携帯端末を包み込む形状で固定される。
【００９７】
本発明に係る携帯端末保持具３００は、携帯端末の角を外側から包む可塑性を有する素材で形成された湾曲状の受容部３１１と、受容部３１１の端部側に設けられる、携帯端末の角を挿入するための中空状の保持部３１２ａと保持部３１２ｂとから構成されるホルダー１１０とを備えることにより、携帯端末を保持可能とする。また、携帯端末保持具３００は、携帯端末の角を外側から包む可塑性を有する素材で形成された湾曲状の受容部３１１を備えることにより、携帯端末保持具３００が転倒した場合でも該携帯端末を転倒の衝撃から保護することができる。
【００９８】
また、本発明に係る携帯端末保持具３００は、ホルダー１００が、受容部３１１の内部に、屈曲性を有し受容部３１１の形状を固定する棒状の骨格部１１３を備える際においては、携帯端末の大きさに合わせてホルダー１１０のサイズを容易に調整可能であり、さらにカバーを装着した状態でも保持が可能である。
【００９９】
本発明に係る携帯端末保持具３００において、ホルダー１１０は背面の中央に穴を有し、該穴の内部に略球状の接合具１３０を備える際において、ホルダー１１０を自由に回転させ、携帯端末の角度を調整させることが可能である。
【０１００】
また、本発明に係る携帯端末保持具３００は、接合具１３０が、２分割することにより、略半球状の第１の接合部１３２と、略半球状の第２の接合部１３３とに分離するものであって、第１の接合部１３２の平面部に設けられ、第２の接合部１３３の平面部の穴に挿入することにより、第１の接合部１３２と第２の接合部１３３とを接合するための回転軸１３１とを備える際おいては、ホルダー１１０の可塑性が劣化した場合においても、接合具１３０の大きさを変化させることで、再度固定させることが可能である。
【０１０１】
本発明に係る携帯端末保持具３００は、また、接合具１３０と接合することにより、ホルダー１１０を支える略半円状の断面を有する支柱部１２０と、略半円状の空洞１２６を備え、該空洞１２６に支柱部１２０を挿入し、空洞１２６内側には可塑性の高い素材１２７を有する略円柱状からなる軸受け部１２５とを備える際には、支柱部１２０と軸受け部１２５を伸縮させ、ホルダー１１０の高さを容易に調整可能である。
【０１０２】
［第４の実施形態］
図１７に示す、本発明の第４の実施形態に係る携帯端末保持具４００の正面を示す図を用いて第４の実施形態におけるホルダー１１０の形状について説明する。第４の実施形態においてホルダー１１０は、略楕円体を半分に切断し、内側をくり抜いた形状で、内側に携帯端末をはめ込んで保持するような形状からなる受容部４１１を有す。
【０１０３】
第４の実施形態において、携帯端末保持具４００は、受容部４１１と保持部４１２ａと保持部４１２ｂと保持部４１２ｃと保持部４１２ｄと骨格部１１３（図１７においては図示を省略）と接合具１３０（図１７においては図示を省略）を備えるホルダー１１０と、支柱部１２０と、軸受け部１２５とから構成される。
【０１０４】
なお、第４の実施形態における携帯端末保持具４００のその他の部分（接合具１３０、支柱部１２０、軸受け部１２５、コード留部１４０）については、第１の実施形態と同様であるため、説明を省略する。
【０１０５】
図１８に、第４の実施形態に係る携帯端末保持具の保持状態の模式図を示す。第１の実施形態における受容部１１１は、第４の実施形態の受容部４１１のように、略楕円体を半分に切断し、内側をくり抜いた形状で、内側に携帯端末をはめ込んで保持するような形状としてもよい。受容部４１１の形状は略球体を半分に切断した形態としてもよい。
【０１０６】
第４の実施形態においては、受容部４１１は、端部側に保持部４１２ａと保持部４１２ｂと保持部４１２ｃと保持部４１２ｄとを備えている。
【０１０７】
第４の実施形態において携帯端末を携帯端末保持具４００に装着する際には、携帯端末の各角を前述した保持部４１２ａ、保持部４１２ｂ、保持部４１２ｃ、保持部４１２ｄに挿入し、受容部４１１に内側に力を加え、携帯端末を包み込むように固定する。
【０１０８】
骨格部１１３は、受容部４１１の形状を固定するもので、屈曲性を有し、必要に応じて形状を変えられるものをいう。第４の実施形態ではワイヤーで構成されるが、針金等を用いてもよい。骨格部１１３が、該屈曲性を有することにより、受容部４１１に対して内側に力を加えた際に、骨格部１１３が内側に屈曲することで、受容部４１１が携帯端末を包み込む形状で固定される。
【０１０９】
本発明に係る携帯端末保持具４００は、携帯端末の角を外側から包む可塑性を有する素材で形成された湾曲状の受容部４１１と、受容部４１１の端部側に設けられる、携帯端末の角を挿入するための中空状の保持部４１２ａと保持部４１２ｂと保持部４１２ｃと保持部４１２ｄとから構成されるホルダー１１０とを備えることにより、携帯端末を保持可能とする。また、携帯端末保持具４００は、携帯端末の角を外側から包む可塑性を有する素材で形成された湾曲状の受容部４１１を備えることにより、携帯端末保持具４００が転倒した場合でも該携帯端末を転倒の衝撃から保護することができる。
【０１１０】
本発明に係る携帯端末保持具４００において、ホルダー１１０が、受容部４１１の内部に、屈曲性を有し受容部４１１の形状を固定する棒状の骨格部１１３を備える際において、携帯端末の大きさに合わせてホルダー１１０のサイズを容易に調整可能であり、さらにカバーを装着した状態でも保持が可能である。
【０１１１】
本発明に係る携帯端末保持具４００において、ホルダー１１０は背面の中央に穴を有し、該穴の内部に略球状の接合具１３０を備える際において、ホルダー１１０を自由に回転させ、携帯端末の角度を調整させることが可能である。
【０１１２】
また、本発明に係る携帯端末保持具４００は、接合具１３０が、２分割することにより、略半球状の第１の接合部１３２と、略半球状の第２の接合部１３３とに分離するものであって、第１の接合部１３２の平面部に設けられ、第２の接合部１３３の平面部の穴に挿入することにより、第１の接合部１３２と第２の接合部１３３とを接合するための回転軸１３１とを備える際おいては、ホルダー１１０の可塑性が劣化した場合においても、接合具１３０の大きさを変化させることで、再度固定させることが可能である。
【０１１３】
本発明に係る携帯端末保持具４００は、また、接合具１３０と接合することにより、ホルダー１１０を支える略半円状の断面を有する支柱部１２０と、略半円状の空洞１２６を備え、該空洞１２６に支柱部１２０を挿入し、空洞１２６内側には可塑性の高い素材１２７を有する略円柱状からなる軸受け部１２５とを備える際には、支柱部１２０と軸受け部１２５を伸縮させ、ホルダー１１０の高さを容易に調整可能である。
【符号の説明】
【０１１４】
１００                携帯端末保持具
１１０                ホルダー
１１１                受容部
１１２ａ              保持部
１１２ｂ              保持部
１１２ｃ              保持部
１１２ｄ              保持部
１２０                支柱部
１２５                軸受け部
１２６                空洞
１２７                可塑性の高い素材
１３０                接合具
１３１                回転軸
１３２                第１の接合部
１３３                第２の接合部
１４０                コード留部
１４１ａ              磁石
１４１ｂ              磁石
２００                携帯端末保持具
２１１                受容部
２１２ａ              保持部
２１２ｂ              保持部
２１２ｃ              保持部
３００                携帯端末保持具
３１１                受容部
３１２ａ              保持部
３１２ｂ              保持部
４００                携帯端末保持具
４１１                受容部
４１２ａ              保持部
４１２ｂ              保持部
４１２ｃ              保持部
４１２ｄ              保持部
５００                寝具
５５０                脚部
６００                ユーザ
６５０                ユーザ
７００                机
８００                机
８５０                机
９００                クリップ部
【図１】
2013223151.tif 000003
【図２】
2013223151.tif 000004
【図３】
2013223151.tif 000005
【図４】
2013223151.tif 000006
【図５】
2013223151.tif 000007
【図６】
2013223151.tif 000008
【図７】
2013223151.tif 000009
【図８】
2013223151.tif 000010
【図９】
2013223151.tif 000011
【図１０】
2013223151.tif 000012
【図１１】
2013223151.tif 000013
【図１２】
2013223151.tif 000014
【図１３】
2013223151.tif 000015
【図１４】
2013223151.tif 000016
【図１５】
2013223151.tif 000017
【図１６】
2013223151.tif 000018
【図１７】
2013223151.tif 000019
【図１８】
2013223151.tif 000020